(57)【要約】  伝送効率の低下を防ぐことができる通信装置。この装置では、送信処理部（１０７）は、データを送信し、間欠的に送信停止期間を設けるとともに送信停止期間においてデータの送信を停止する。受信処理部（１０３）は、送信処理部（１０７）により送信したデータの再送要求を受信する。ＨＡＲＱ制御部（１０５）は、再送要求されたデータの再送処理を行うとともに、再送要求されたデータの再送のタイミングが送信停止期間内である場合には再送処理を停止し、再び再送要求を受信した際に再送処理を再開する。
2010128598.tif 000002
【特許請求の範囲】
【請求項１】
データを送信し、間欠的に送信停止期間を設けるとともに前記送信停止期間において前記データの送信を停止する送信処理手段と、
前記送信処理手段により送信したデータの再送要求を受信する受信処理手段と、
前記再送要求されたデータの再送処理を行うとともに、前記再送要求されたデータの再送のタイミングが前記送信停止期間と重なる場合には前記再送処理を停止し、該当データに対し再び前記再送要求を受信した際に前記再送処理を再開する再送制御手段と、
を具備する通信装置。
【請求項２】
前記受信処理手段は、前記再送要求に加えて、前記送信処理手段により送信したデータの受信成功を示す通知を受信し、
前記再送制御手段は、前記再送処理を停止した後に該当データの前記受信成功を示す通知を受信した場合には、前記該当データの次のデータの初回送信の処理を行う請求項１記載の通信装置。
【請求項３】
前記受信処理手段は、前記再送要求に加えて、前記送信処理手段により送信したデータの受信成功を示す通知を受信し、
前記再送制御手段は、前記再送処理を停止した後に該当データの前記受信成功を示す通知を受信した場合には、前記再送処理を再開する請求項１記載の通信装置。
【請求項４】
前記送信処理手段は、通信中のセルと異なる周波数を使用するハンドオーバ先候補の受信品質を測定するために、前記通信中のセルとの通信を停止する前記送信停止期間であるコンプレストモードのギャップ区間を設け、前記ギャップ区間において前記データの送信を停止し、
前記再送制御手段は、再送のタイミングが前記ギャップ区間と重なる場合に前記再送処理を停止する請求項１記載の通信装置。
【請求項５】
前記再送制御手段は、前記再送要求されたデータの再送のタイミングが前記送信停止期間と重なる場合には、前記再送処理である再送回数のカウントアップまたは冗長ビットの送信量の設定の少なくとも一方を停止する請求項１記載の通信装置。
【請求項６】
再送要求されたデータの再送処理を行う通信装置におけるデータ再送処理方法であって、
データを送信し、間欠的に送信停止期間を設けるとともに前記送信停止期間において前記データの送信を停止するステップと、
送信した前記データの再送要求を受信するステップと、
前記再送要求されたデータの再送のタイミングが前記送信停止期間と重なる場合には前記再送処理を停止し、該当データに対し再び前記再送要求を受信した際に前記再送処理を再開するステップと、
を具備するデータ再送処理方法。
【発明の詳細な説明】
【技術分野】
【０００１】
本発明は、通信装置及びデータ再送処理方法に関し、例えばコンプレストモード（compressed mode）のギャップ（gap）区間を設定する通信装置及びデータ再送処理方法に関する。
【背景技術】
【０００２】
従来、Ｅ−ＤＰＤＣＨ（Enhanced Dedicated Physical Data Channel）を用いた送信に対して、受信成功を示すＡｃｋ（Acknowledgment）を受信できなかった場合は、再送カウンタをカウントアップする等の再送処理を行う移動機が知られている（例えば、非特許文献１）。【０００３】
また、移動機が現在通信を行っているハンドオーバ元の基地局装置と新たな通信相手となり得るハンドオーバ先の基地局装置とが異なる周波数の信号を送信している場合、ハンドオーバする移動機がハンドオーバ先の基地局装置からの信号の無線品質を測定するために、コンプレストモードと呼ばれる通信方式を採用する（例えば、特許文献１）。コンプレストモードは、ハンドオーバする移動機宛ての信号の送受信を一時的に停止するギャップ区間を基地局装置が間欠的に設ける方式である。移動機は、ギャップ区間の間に受信周波数をハンドオーバ先の基地局装置に対応する周波数に切り替え、ハンドオーバ先の基地局装置の無線品質を測定する。そして、無線品質測定の結果、ハンドオーバ先の基地局装置からの信号の無線品質の方が、ハンドオーバ元の基地局装置からの信号の無線品質よりも良好である等の条件に応じて、移動機は、ハンドオーバを行って、ハンドオーバ先の基地局装置に対応した受信周波数または通信方式に切り替える。【０００４】
図１は、コンプレストモードを採用する従来の移動機の動作を示す図である。図１より、まず移動機１０から基地局２０に対し、Ｅ−ＤＰＤＣＨを用いてデータの送信が行われる（ステップＳＴ５０）。基地局２０は、Ｅ−ＤＰＤＣＨのデータを誤りなく受信できたか否かを、Ｅ−ＨＩＣＨ（Enhanced Hybrid ARQ Indicator Channel）においてＡｃｋまたはＮａｃｋ（Negative Acknowledgment）により移動機１０に対して通知する（ステップＳＴ５１）。移動機１０は、Ｅ−ＨＩＣＨのデータを受信し、Ｎａｃｋであると判定した場合は、該当するＥ−ＤＰＤＣＨのデータの再送処理を行う。再送回数１回目の再送データがコンプレストモードのギャップ区間と重なることにより、送信できなかった場合（ＤＴＸ（Discontinuous Transmission）の場合）において、移動機１０は基地局２０からのＥ−ＨＩＣＨのデータを受信する（ステップＳＴ５２）。ここで、移動機から応答信号が送信されないことをＤＴＸと呼ぶ。移動機１０は、Ｅ−ＨＩＣＨのデータの判定結果がＡｃｋの場合は次のデータの送信を行い、Ｅ−ＨＩＣＨのデータの判定結果がＮａｃｋの場合は再送処理を進めて再送回数２回目の再送を行う。再送処理には、再送回数のカウントアップおよび冗長ビットの送信量の設定などの再送内容の変更が含まれる。また、再送データは、再送回数に応じて冗長ビットの送信量が異なるように設定される。
【先行技術文献】
【特許文献】
【０００５】
【特許文献１】特開２００５−１１０１７９号公報
【非特許文献】
【０００６】
【非特許文献１】3GPP TS 25.321 V6.16.0 11.8.1.1.2 HARQ process
【発明の概要】
【発明が解決しようとする課題】
【０００７】
しかしながら、従来の装置においては、Ｅ−ＤＰＤＣＨのデータの再送がコンプレストモードのギャップ区間と重なる場合には、Ｅ−ＤＰＤＣＨの再送データは実際には送信されない。この結果、従来の装置においては、実際は送信されないＥ−ＤＰＤＣＨのデータに対して再送処理を行うことになり、伝送効率が低下するという問題がある。具体的には、ＨＡＲＱ処理の上位のＲＬＣ処理により再送が発生し、伝送効率が低下するという問題がある。また、従来の装置においては、実際に再送されたか否かに関わりなく再送処理を行うので、実際には送信していないＥ−ＤＰＤＣＨの再送データに対するＡｃｋを受信したと誤判定する可能性がある。この場合には、次の送信データの送信を行うことになり、伝送データに不整合が起こり、伝送効率が低下するという問題がある。【０００８】
本発明の目的は、伝送効率の低下を防ぐことができる通信装置及びデータ再送処理方法を提供することである。
【課題を解決するための手段】
【０００９】
本発明の通信装置は、データを送信し、間欠的に送信停止期間を設けるとともに前記送信停止期間において前記データの送信を停止する送信処理手段と、前記送信処理手段により送信したデータの再送要求を受信する受信処理手段と、前記再送要求されたデータの再送処理を行うとともに、前記再送要求されたデータの再送のタイミングが前記送信停止期間と重なる場合には前記再送処理を停止し、該当データに対し再び前記再送要求を受信した際に前記再送処理を再開する再送制御手段と、を具備する構成を採る。【００１０】
本発明のデータ再送処理方法は、再送要求されたデータの再送処理を行う通信装置におけるデータ再送処理方法であって、データを送信し、間欠的に送信停止期間を設けるとともに前記送信停止期間において前記データの送信を停止するステップと、送信した前記データの再送要求を受信するステップと、前記再送要求されたデータの再送のタイミングが前記送信停止期間と重なる場合には前記再送処理を停止し、該当データに対し再び前記再送要求を受信した際に前記再送処理を再開するステップと、を具備するようにした。
【発明の効果】
【００１１】
本発明によれば、伝送効率の低下を防ぐことができる。
【図面の簡単な説明】
【００１２】
【図１】従来の再送処理方法を示す図
【図２】本発明の実施の形態１に係る通信装置の構成を示すブロック図
【図３】本発明の実施の形態１に係る再送処理方法を示す図
【図４】本発明の実施の形態２に係る再送処理方法を示す図
【発明を実施するための形態】
【００１３】
以下、本発明の実施の形態について、図面を参照して詳細に説明する。
【００１４】
（実施の形態１）
図２は、本発明の実施の形態１に係る通信装置１００の構成を示すブロック図である。通信装置１００は、例えばＨＳＵＰＡ（High Speed Uplink Packet Access）を用いる携帯電話等の通信端末装置に適用することができる。
【００１５】
通信装置１００は、アンテナ１０１と、送受信共用器１０２と、受信処理部１０３と、Ｅ−ＨＩＣＨ判定部１０４と、ＨＡＲＱ制御部１０５と、Ｅ−ＤＰＤＣＨ変調部１０６と、送信処理部１０７と、コンプレストモードギャップ制御部１０８とから主に構成される。以下に、各構成について、詳細に説明する。
【００１６】
アンテナ１０１は、ＲＦ（高周波）信号を受信し、受信したＲＦ信号を送受信共用器１０２へ出力する。また、アンテナ１０１は、送受信共用器１０２から入力したＲＦ信号を送信する。
【００１７】
送受信共用器１０２は、アンテナ１０１から入力したＲＦ信号の受信処理部１０３への出力と、送信処理部１０７から入力したＲＦ信号のアンテナ１０１への出力とを切り替える。
【００１８】
受信処理部１０３は、送受信共用器１０２から入力したＲＦ信号を無線周波数からベースバンド周波数にダウンコンバートおよび逆拡散することによりベースバンド信号に変換する。そして、受信処理部１０３は、ベースバンド信号をＥ−ＨＩＣＨ判定部１０４へ出力する。
【００１９】
Ｅ−ＨＩＣＨ判定部１０４は、受信処理部１０３から入力したベースバンド信号におけるＥ−ＨＩＣＨのデータを復号して、復号結果が受信成功を示す通知のＡｃｋであるか受信失敗を示す通知のＮａｃｋであるかを判定する。そして、Ｅ−ＨＩＣＨ判定部１０４は、判定結果をＨＡＲＱ制御部１０５へ出力する。
【００２０】
ＨＡＲＱ制御部１０５は、Ｅ−ＨＩＣＨ判定部１０４から入力した判定結果に基づいてＥ−ＤＰＤＣＨ変調部１０６を制御する。具体的には、ＨＡＲＱ制御部１０５は、Ｅ−ＨＩＣＨ判定部１０４からＡｃｋである判定結果が入力した場合には、次のデータの初回送信を行うようにＥ−ＤＰＤＣＨ変調部１０６を制御する。また、ＨＡＲＱ制御部１０５は、Ｅ−ＨＩＣＨ判定部１０４からＮａｃｋである判定結果が入力した場合には、再送要求に従って、再送回数をカウントし、再送処理を行うようにＥ−ＤＰＤＣＨ変調部１０６を制御する。また、ＨＡＲＱ制御部１０５は、コンプレストモードギャップ制御部１０８からギャップ区間（送信停止期間）であることを示す信号が入力した場合に、ギャップ区間と重なってＤＴＸとなったＥ−ＤＰＤＣＨ送信を記憶し、再送回数のカウントアップをキャンセルするとともに、再送処理を停止するようにＥ−ＤＰＤＣＨ変調部１０６を制御する。そして、ＨＡＲＱ制御部１０５は、再びＥ−ＨＩＣＨ判定部１０４からＮａｃｋの判定結果が入力した場合に、記憶しているＥ−ＤＰＤＣＨ送信の再送回数をカウントアップするとともに再送処理を行うようにＥ−ＤＰＤＣＨ変調部１０６を制御し、再送処理を再開する。この際、ＨＡＲＱ制御部１０５は、再びＮａｃｋである判定結果が入力した場合において、コンプレストモードギャップ制御部１０８からギャップ区間であることを示す信号が再び入力した場合には、再送回数のカウントアップをキャンセルするとともに、再送処理を停止するようにＥ−ＤＰＤＣＨ変調部１０６を制御する。即ち、ＨＡＲＱ制御部１０５は、ギャップ区間と重ならないタイミングで再送を行うように制御する。
【００２１】
Ｅ−ＤＰＤＣＨ変調部１０６は、ＨＡＲＱ制御部１０５の制御に基づいてベースバンドのＥ−ＤＰＤＣＨ変調信号を作成する。具体的には、Ｅ−ＤＰＤＣＨ変調部１０６は、次のデータ送信を行うようにＨＡＲＱ制御部１０５から制御された場合には、次のデータを所定の変調方式により変調してＥ−ＤＰＤＣＨ変調信号を作成する。また、Ｅ−ＤＰＤＣＨ変調部１０６は、再送処理を行うようにＨＡＲＱ制御部１０５から制御された場合には、再送処理した再送データを所定の変調方式により変調してＥ−ＤＰＤＣＨ変調信号を作成する。そして、Ｅ−ＤＰＤＣＨ変調部１０６は、作成したＥ−ＤＰＤＣＨ変調信号を送信処理部１０７へ出力する。また、Ｅ−ＤＰＤＣＨ変調部１０６は、再送処理を停止するようにＨＡＲＱ制御部１０５から制御された場合には、再送処理を停止する。なお、再送がギャップ区間と重なる場合の再送処理方法については後述する。
【００２２】
送信処理部１０７は、Ｅ−ＤＰＤＣＨ変調部１０６から入力したＥ−ＤＰＤＣＨ変調信号に対して拡散符号を乗じるとともに、ベースバンドからＲＦにアップコンバートすることによりＲＦ信号に変換する。そして、送信処理部１０７は、ＲＦ信号を送受信共用器１０２へ出力する。また、送信処理部１０７は、コンプレストモードギャップ制御部１０８からギャップ区間であることを示す信号が入力した場合に、ギャップ区間にはデータを送信しないように制御する。
【００２３】
コンプレストモードギャップ制御部１０８は、コンプレストモードのギャップ区間を制御し、ギャップ区間のタイミングにおいてギャップ区間であることを示す信号をＨＡＲＱ制御部１０５及び送信処理部１０７へ出力する。
【００２４】
次に、再送のタイミングがギャップ区間と重なる場合の再送処理方法について、図３を用いて説明する。図３は、再送処理方法を説明する図である。
【００２５】
図３より、まず通信装置１００から基地局に対し、Ｅ−ＤＰＤＣＨを用いてデータの送信が行われる（ステップＳＴ３０１）。基地局は、Ｅ−ＤＰＤＣＨのデータを誤りなく受信できた場合に、Ｅ−ＨＩＣＨによりＡｃｋを通信装置１００に対して送信し、Ｅ−ＤＰＤＣＨのデータに誤りがある場合に、Ｅ−ＨＩＣＨによりＮａｃｋを通信装置１００に対して送信する（ステップＳＴ３０２）。そして、通信装置１００は、Ｅ−ＨＩＣＨのデータを受信する。受信したＥ−ＨＩＣＨのデータの復号結果が、Ｅ−ＨＩＣＨ判定部１０４によりＮａｃｋであると判定された場合は、ＨＡＲＱ制御部１０５は該当するＥ−ＤＰＤＣＨのデータの再送処理を行うように制御する。また、通信装置１００は、再送回数１回目の再送がコンプレストモードのギャップ区間と重なることにより送信できなかった場合（ＤＴＸの場合）において、基地局から送信されたＥ−ＨＩＣＨのデータを受信する（ステップＳＴ３０３）。ＨＡＲＱ制御部１０５は、Ｅ−ＨＩＣＨ判定部１０４におけるＥ−ＨＩＣＨの判定結果に応じて、Ａｃｋの場合は次のデータの初回送信を行うように制御し、Ｎａｃｋの場合は再送回数２回目の再送処理でなく、再送回数１回目の再送処理を行って、前回再送する予定であった１回目の再送を行うように制御する。
【００２６】
このように、本実施の形態によれば、再送のタイミングがコンプレストモードのギャップ区間と重なる場合には再送処理を停止して再送処理を行わず、再びＮａｃｋを受信した際に再送処理を再開することにより、データの不整合を防ぎ、伝送効率の低下を防ぐことができる。
【００２７】
（実施の形態２）
図４は、本発明の実施の形態２に係る再送処理方法を示す図である。なお、本実施の形態において、通信装置の構成は図２と同一構成であるので、その説明を省略する。また、本実施の形態においては、図２の参照符号を用いて説明する。
【００２８】
図４より、まず通信装置１００から基地局に対し、Ｅ−ＤＰＤＣＨを用いてデータの送信が行われる（ステップＳＴ４０１）。基地局は、Ｅ−ＤＰＤＣＨのデータを誤りなく受信できた場合に、Ｅ−ＨＩＣＨによりＡｃｋを通信装置１００に対して送信し、Ｅ−ＤＰＤＣＨのデータに誤りがある場合に、Ｅ−ＨＩＣＨによりＮａｃｋを通信装置１００に対して送信する（ステップＳＴ４０２）。そして、通信装置１００は、Ｅ−ＨＩＣＨのデータを受信する。受信したＥ−ＨＩＣＨのデータの復号結果が、Ｅ−ＨＩＣＨ判定部１０４によりＮａｃｋであると判定された場合は、ＨＡＲＱ制御部１０５は該当するＥ−ＤＰＤＣＨのデータの再送処理を行うように制御する。また、通信装置１００は、再送回数１回目の再送がコンプレストモードのギャップ区間と重なることにより送信できなかった場合（ＤＴＸの場合）において、基地局から送信されたＥ−ＨＩＣＨのデータを受信する（ステップＳＴ４０３）。Ｅ−ＨＩＣＨ判定部１０４によるＥ−ＨＩＣＨの判定結果がＡｃｋの場合またはＮａｃｋの場合の双方の場合において、ＨＡＲＱ制御部１０５は、再送回数２回目の再送処理でなく、再送回数１回目の再送処理を行って、前回再送する予定であった１回目の再送を行うように制御する。
【００２９】
このように、本実施の形態によれば、上記の実施の形態１の効果に加えて、再送のタイミングがコンプレストモードのギャップ区間と重なった後にＡｃｋを受信した場合に、再送処理を再開して再送することにより、通信相手における受信データの誤りを確実に低減することができる。また、本実施の形態によれば、基地局がＮａｃｋを送信したにも関わらず、受信誤りによりＡｃｋを受信したと誤判断した場合等のように、Ｅ−ＨＩＣＨのデータの受信誤りが生じた場合に、Ｅ−ＨＩＣＨのデータの受信誤りに起因するデータの誤送信を防ぐことができ、再送データを確実に伝送することができる。
【００３０】
なお、上記の実施の形態１及び実施の形態２において、Ｅ−ＤＰＤＣＨ及びＥ−ＨＩＣＨを用いてデータを送信したが、本発明はこれに限らず、任意のチャネルを用いてデータを送信することができる。また、上記の実施の形態１及び実施の形態２において、再送のタイミングがコンプレストモードのギャップ区間と重なる場合に再送処理を停止したが、本発明はこれに限らず、コンプレストモードのギャップ区間以外の、所定の送信停止期間を設ける通信方式において再送処理を行うものに適用することができる。
【００３１】
２００９年５月８日出願の特願２００９−１１３６８６の日本出願に含まれる明細書、図面及び要約書の開示内容は、すべて本願に援用される。
【産業上の利用可能性】
【００３２】
本発明は、例えばコンプレストモードのギャップ区間を設定する通信装置及びデータ再送処理方法に適用するのに好適である。
【図１】
2010128598.tif 000003
【図２】
2010128598.tif 000004
【図３】
2010128598.tif 000005
【図４】
2010128598.tif 000006
【手続補正書】
【提出日】平成22年9月7日(2010.9.7)
【手続補正１】
【補正対象書類名】特許請求の範囲
【補正対象項目名】全文
【補正方法】変更
【補正の内容】
【特許請求の範囲】
【請求項１】
データを送信し、間欠的に送信停止期間を設けるとともに前記送信停止期間において前記データの送信を停止する送信処理手段と、
前記送信処理手段により送信したデータの再送要求を受信する受信処理手段と、
前記再送要求されたデータの再送処理を行うとともに、前記再送要求されたデータの再送のタイミングが前記送信停止期間と重なる場合には前記再送処理を停止し、該当データに対し再び前記再送要求を受信した際に前記再送処理を再開する再送制御手段と、
を具備する通信装置であって、
前記受信処理手段は、前記再送要求に加えて、前記送信処理手段により送信したデータの受信成功を示す通知を受信し、
前記再送制御手段は、前記再送処理を停止した後に該当データの前記受信成功を示す通知を受信した場合には、前記該当データの次のデータの初回送信の処理を行う通信装置。
【請求項２】
前記受信処理手段は、前記再送要求に加えて、前記送信処理手段により送信したデータの受信成功を示す通知を受信し、
前記再送制御手段は、前記再送処理を停止した後に該当データの前記受信成功を示す通知を受信した場合には、前記再送処理を再開する請求項１記載の通信装置。
【請求項３】
前記送信処理手段は、通信中のセルと異なる周波数を使用するハンドオーバ先候補の受信品質を測定するために、前記通信中のセルとの通信を停止する前記送信停止期間であるコンプレストモードのギャップ区間を設け、前記ギャップ区間において前記データの送信を停止し、
前記再送制御手段は、再送のタイミングが前記ギャップ区間と重なる場合に前記再送処理を停止する請求項１記載の通信装置。
【請求項４】
前記再送制御手段は、前記再送要求されたデータの再送のタイミングが前記送信停止期間と重なる場合には、前記再送処理である再送回数のカウントアップまたは冗長ビットの送信量の設定の少なくとも一方を停止する請求項１記載の通信装置。
【請求項５】
再送要求されたデータの再送処理を行う通信装置におけるデータ再送処理方法であって、
データを送信し、間欠的に送信停止期間を設けるとともに前記送信停止期間において前記データの送信を停止するステップと、
送信した前記データの再送要求を受信するステップと、
前記再送要求されたデータの再送のタイミングが前記送信停止期間と重なる場合には前記再送処理を停止し、該当データに対し再び前記再送要求を受信した際に前記再送処理を再開するステップと、
を具備するデータ再送処理方法。
【請求項６】
（削除）
【国際調査報告】
2010128598.tif 000007
2010128598.tif 000008
2010128598.tif 000009
2010128598.tif 000010